(57)【要約】【課題】給水圧力の低い場所においても充分なシャワー流量の確保が出来て、なおかつ、騒音も小さくメンテナンス性のよい湯沸器の提供。【解決手段】熱源２８と、熱源２８への通水状態を検出する流量スイッチ３１と、お湯の供給及び停止を操作する出湯スイッチ２４と、前記熱源の出力設定等の操作を行う操作部２５と、前記出湯スイッチ２４と流量スイッチ３１及び操作部２５の検出値から熱源への通水状態及び熱源出力状態を判定する制御器３０と、この制御器からの指示によって通水状態及び熱源出力状態を表示する表示部２９と、前記熱源より供給されるお湯をシャワーホース２６を介して吐出するシャワーヘッド２７と、前記熱源２８の入口側に直流ブラシレスモータで構成した給水加圧ポンプ３２と、前記給水加圧ポンプ３２を駆動する電圧変換装置３０ｃを備えた。【選択図】　図２
2004011976.tif 000002
【特許請求の範囲】
【請求項１】
熱源と、前記熱源の出力設定等の操作を行う操作部と、前記操作部の検出値から熱源出力状態を判定する制御器と、この制御器からの指示によって熱源出力状態を表示する表示部と、前記熱源より供給されるお湯をシャワーホースを介して吐出するシャワーヘッドと、前記熱源の入口側に直流ブラシレスモータで構成した給水加圧ポンプと、前記給水加圧ポンプを駆動する電圧変換装置を備えた湯沸器。
【請求項２】
熱源への通水状態を検出する流量スイッチとお湯の供給及び停止を操作する出湯スイッチを備え、給水加圧ポンプは出湯スイッチと連動させた請求項１記載の湯沸器。
【請求項３】
給水加圧ポンプのモータ部とポンプ部を一体構成とした請求項１または２記載の湯沸器。
【請求項４】
給水加圧ポンプのポンプ部にＰＰＳ材またはノリル材を使用した請求項１〜３のいずれか１項記載の湯沸器。
【請求項５】
湯沸器本体の給水側に着脱可能なフィルターを接続した請求項１〜４のいずれか１項記載の湯沸器。
【発明の詳細な説明】
【０００１】
【発明の属する技術分野】
本発明は給湯シャワーなどに使用される湯沸器に関するものである。
【０００２】
【従来の技術】
従来の湯沸器の一例として電気瞬間湯沸器について、図４、図５及び図６を用いて説明する。まず、図４は外観図、図５は制御ブロック図、図６は電気瞬間湯沸器の構成部品の一つである給水加圧ポンプの構成図である。
【０００３】
図４において、１は入水管、２は流量調整つまみ、３は電源スイッチ、４は出湯スイッチ、５は熱源出力調節ボリュームスイッチ、６はシャワーホース、７はシャワーヘッド、８は熱源（ヒータ）、９は表示部で、電源ランプ９ａと熱源ランプ９ｂにより構成されており、入水管１から本体内に通水され熱源（ヒータ）８で加熱され、シャワーホース６を介して、シャワーヘッド７から出湯する構成としてある。ここで、出湯スイッチ４は、止水栓機能を兼ねている。
【０００４】
図５で、１０は電源ランプ制御部、１１は流量スイッチ、１２は熱源制御部、１３は給水加圧ポンプ駆動部、１４は給水加圧ポンプ、１５は熱源ランプ制御部、１６は給水フィルターを示す。
【０００５】
図６で、１７はモータ部、１８はポンプ部、１９はシャフトを示す。
【０００６】
そして、モータ部１７は交流電源で動作しブラシモータとなっている。また、モータ部１７とポンプ部１８はそれぞれ別部品化されており、シャフト１９を介してモータの駆動をポンプへ伝達している。
【０００７】
次に、システムの動作説明を行なう。
【０００８】
まず、電源スイッチ３をオンにすると電源ランプ制御部１０によって電源ランプ９ａが点灯する。次に、使用者がシャワー入浴をしようと出湯スイッチ４をオンにすると、入水管１を経由してシャワーヘッド７より吐水を行う。その吐水による通水によって流量スイッチ１１がオンになる。そして、流量スイッチ１１がオンになると給水加圧ポンプ駆動部１３によって給水加圧ポンプ１４が運転を開始する。給水加圧ポンプ１４は、交流ブラシモーターを採用しているため、ポンプ本体への入力電圧は、湯沸器本体への電圧が電源スイッチ３より給水加圧ポンプ駆動部１３を介して印可される。
【０００９】
次に熱源出力調整ボリュームスイッチ５をオンにすると、電源スイッチ３、出湯スイッチ４、流量スイッチ１１、熱源出力調整ボリュームスイッチ５の全てがオンであることを熱源制御部１２を介して判断した熱源ランプ制御部１５によって熱源ランプ９ｂが点灯し、使用者にヒータ８への通電が開始されることを報知する。この、ヒータ８への通電量は、使用者の好みで調節された熱源出力調整ボリュームスイッチ５により、熱源制御部１２がヒータ８を制御することで決定される。シャワー入浴が終了したときは、出湯スイッチ４をオフにすると、止水機能が働き、吐水が停止し流量スイッチ１１がオフし、ヒータ８への通電が遮断され、熱源ランプ９ｂは消灯する。以上の操作、及び構成により、温水によるシャワーを使用することができ、電源ランプ９ａと熱源ランプ９ｂを確認することによって、運転の状態を判断することができる。
【００１０】
そして、給水フィルター１６のゴミ咬み等により、流量が減少した場合、入水管１を一度はずして、給水フィルター１６をはずし、洗浄した上で再度取り付けることで使用する。
【００１１】
【発明が解決しようとする課題】
しかしながら、従来の構成においては、給水圧力が低い場所では充分な流量の確保が出来ず、使用感がよくなかったり、流量スイッチがオンにならない程低水圧であれば使用できなかったりという問題点があった。また、給水加圧ポンプに交流ブラシモータを搭載しており、騒音が大きいため、使用時間や使用周囲の環境を気にしなければならなかった。
【００１２】
また、水質の悪い地域の場合、フィルター詰まり等が頻繁に発生し、その度にメンテナンスを行わなければならないが、フィルターが湯沸器本体へ取り付けられているため非常にメンテナンス性がよくなかった。
【００１３】
本発明は、上記従来の課題を解決するもので、騒音も小さくメンテナンス性のよい、給水圧力の低い場所においても充分なシャワー流量の確保が出来る湯沸器を提供することを目的としたものである。
【００１４】
【課題を解決するための手段】
上記課題を解決するため本発明の湯沸器は、熱源と、熱源への通水状態を検出する流量スイッチと、お湯の供給及び停止を操作する出湯スイッチと、温度設定等の操作を行う操作部と、前記出湯スイッチと流量スイッチ及び操作部の検出値から熱源への通水状態及び熱源出力状態を判定する状態判定部と、この状態判定部からの指示を受けて状態表示を指示する表示制御部と、この表示制御部からの指示によって通水状態及び熱源出力状態を表示する表示部と、熱源より供給されるお湯をシャワーホースを介して吐出するシャワーヘッドと、熱源の入口側に直流ブラシレスモータで構成した給水加圧ポンプと、前記給水加圧ポンプを駆動する電圧変換装置を備え、前記給水加圧ポンプは前記出湯スイッチをオンすることにより運転を開始し、前記出湯スイッチをオフすることで運転を停止するようにしたものである。
【００１５】
【発明の実施の形態】
請求項１に記載の発明は、熱源と、前記熱源の出力設定等の操作を行う操作部と、前記操作部の検出値から熱源出力状態を判定する状態判定部と、この状態判定部からの指示を受けて状態表示を指示する表示制御部と、この表示制御部からの指示によって通電状態を表示する表示部と、熱源より供給されるお湯をシャワーホースを介して吐出するシャワーヘッドと、前記熱源の入口側に直流ブラシレスモータで構成された給水加圧ポンプと、前記給水加圧ポンプを駆動する電圧変換装置を備えている。
【００１６】
そして、騒音が小さいため、時間や周囲環境を気にすることなくシャワーを使用できる。
【００１７】
また、給水加圧ポンプ構成部品の長寿命化が図られるため、設置後に発生するポンプ構成部品交換等のメンテナンス回数も大幅に軽減できる。
【００１８】
また、請求項２に記載した発明は、熱源と、熱源への通水状態を検出する流量スイッチと、お湯の供給及び停止を操作する出湯スイッチと、熱源の入口側に給水加圧ポンプを備え、出湯スイッチをオンすると給水加圧ポンプが運転を開始するようになっている。
【００１９】
その結果、流量が極端に少なく流量スイッチがオンしない場合でも給水加圧ポンプは運転することができ、より広範囲の給水圧地域をカバーできる。したがって、給水圧力が低い場合でも、さらに給水加圧装置を別途設置するといった必要がなくなり、使用者が新たな費用負担の発生等を負うことがなくなる。さらに、新たな設置スペースも不要であり、設置バランスを崩すこともなくなる。
【００２０】
また、請求項３に記載した発明は、給水加圧ポンプのモータとポンプを一体構成としている。
【００２１】
そして、従来の商品に比べて部品点数が軽減されているため故障の頻度も大幅に軽減し、万が一故障した場合でも湯沸器内他部品への影響を最小限度に留めることができる。
【００２２】
また、請求項４に記載の発明は、給水加圧ポンプのポンプ部をＰＰＳ材またはノリル材にしている。
【００２３】
そして、万が一使用者がシャワーヘッドを誤って塞いだ場合等でも即座にポンプ部が破損することがなく安全である。また、断水等による逆流時にも熱源からの湯で破損することがない。
【００２４】
また、請求項５に記載の発明は、湯沸器本体の給水側に簡便に着脱可能なフィルターを接続している。
【００２５】
そして、水質が悪く、比較的短期間でゴミ咬み等によるフィルター詰まりが発生した場合でも、使用者が工具を使用せずに容易にメンテナンスできる。
【００２６】
【実施例】
以下本発明の一実施例について、電気瞬間湯沸器に用いた場合を例に図面を参照しながら説明する。
【００２７】
図１は本発明の実施例における電気瞬間湯沸器の外観図、図２は本発明の実施例における同湯沸器の内部構造を示す制御ブロック図、図３は本発明の実施例における同湯沸器の構成部品の一つである給水加圧ポンプの構成図である。
【００２８】
図１において、２１は入水管、２２は給水フィルター内蔵型流量調節つまみで２２ａはフィルターつまみ、２３は電源スイッチ、２４は出湯スイッチ、２５は操作部で２５ａは熱源出力調整ボリュームスイッチ、２６はシャワーホース、２７はシャワーヘッド、２８は熱源（ヒータ）、２９は表示部で、電源ランプ２９ａと熱源ランプ２９ｂにより構成されている。
【００２９】
図２で、３０は制御器で３０ａは電源ランプ制御部、３０ｂは熱源制御部、３０ｃは電圧変換装置、３１は流量スイッチ、３２は給水加圧ポンプである。
【００３０】
そして、出湯スイッチ２４と流量スイッチ３１と熱源出力調整ボリュームスイッチ２５ａからの入力に応じて、電源ランプ制御部３０ａ及び熱源制御部３０ｂを介して、表示部２９とヒータ２８を駆動する。また、出湯スイッチ２４の入力により流量スイッチ３１の入力有無に関わらず、電圧変換装置３０ｃを介して給水加圧ポンプ３２を駆動する。それと同時に、電源ランプ制御部３０ａを介して電源ランプ２９ａを点灯する。
【００３１】
図３で、ポンプ３３とモータ３４は、一体構成となっており、ポンプ３３はＰＰＳ材を使用するバックケーシング３３ａとノリル材を使用するフロントケーシング３３ｂとロータ３３ｃと軸３３ｄと軸受け３３ｅ及びワッシャー３３ｆで構成される。モータ３４は直流ブラシレスモータであり、３４ａはステータである。
【００３２】
以上の構成において、通常使用時は、まず、電源スイッチ２３をオンにする。次に、止水栓機能を有した出湯スイッチ２４をオンにすると、電圧変換装置３０ｃを介して給水加圧ポンプ３２を駆動する。同時に、入水管２１を経由してシャワーヘッド２７より吐水され、その吐水による通水が流量スイッチ３１で確認されて、熱源（ヒータ）２８への通電が開始され、熱源出力調整ボリュームスイッチ２５ａで設定した出力になるように熱源制御部３０ｂを介してヒータ２８の電力制御を行う。
【００３３】
また、水質が悪く、比較的短期間でゴミ咬み等によるフィルター詰まりが発生した場合は、給水フィルター内蔵型流量調整つまみ２２のフィルターつまみ２２ａを開放側に回しきることで外し、洗浄した後、フィルターつまみ２２ａを閉塞側に回し再装着する。
【００３４】
このように、ポンプ制御部は直流ブラシレスモーター及び変圧装置で構成されている為、従来の交流モータ（直流モータに比べて大型）を備える攻勢と同程度またはそれ以下の小型化が図られており、かつ、湯沸器への構成も自由度が高くなるため、より使用者が使いやすい構成となっている。また、騒音が小さいため、時間や周囲環境を気にすることなくシャワーを使用できる。さらに、給水加圧ポンプ構成部品の長寿命化が図られるため、設置後に発生するポンプ構成部品交換等のメンテナンス回数も大幅に軽減できる。したがって、使用者の満足度も向上する。
【００３５】
その上、出湯スイッチの入力にポンプ駆動を連動させることで、流量に関係なくポンプが駆動するので、極端に給水圧が低い場合でも充分なシャワー流量を確保できるようになる。
【００３６】
加えて、モーターとポンプを一体構成とすることで、従来の商品に比べて部品点数が軽減されているため故障の頻度も大幅に軽減し、万が一故障した場合でも湯沸器内他部品への影響を最小限度に留めることができる。
【００３７】
また、ポンプのポンプ部をＰＰＳ材とノリル材にしているため、耐熱、耐圧性が高く、万が一使用者がシャワーヘッドを誤って塞いだ場合等でも即座にポンプ部が破損することがなく安全である。また、断水等による逆流時にも熱源からの湯で破損することがない。
【００３８】
さらにまた、湯沸器本体の給水側にメンテナンスの容易なフィルターを接続しているため、水質が悪く、比較的短期間でゴミ咬み等によるフィルター詰まりが発生した場合でも、使用者が工具を使用せずに容易にメンテナンスできる。
【００３９】
【発明の効果】
以上のように本発明によれば、騒音も小さくメンテナンス性のよい、給水圧力の低い場所においても充分なシャワー流量の確保が出来る湯沸器を提供することができる。
【図面の簡単な説明】
【図１】本発明の一実施例の電気瞬間湯沸器の外観図
【図２】同電気瞬間湯沸器の内部構造を示す制御ブロック図
【図３】同電気瞬間湯沸器の構成部品の一つである給水ポンプの構成図
【図４】従来の電気瞬間湯沸器の外観図
【図５】従来の電気瞬間湯沸器の制御ブロック図
【図６】従来の電気瞬間湯沸器の構成部品の一つである給水ポンプの構成図
【符号の説明】
２４　出湯スイッチ
２５　操作部
２６　シャワーホース
２７　シャワーヘッド
２８　熱源（ヒータ）
２９　表示部
３０　制御器
３０ｃ電圧変換装置
３１　流量スイッチ
３２　給水加圧ポンプ
【図１】
2004011976.tif 000003
【図２】
2004011976.tif 000004
【図３】
2004011976.tif 000005
【図４】
2004011976.tif 000006
【図５】
2004011976.tif 000007
【図６】
2004011976.tif 000008